(57)【要約】正面フレームを備える家具の扉取付用ヒンジ（１０）は、家具の正面フレーム（１１）に固定可能な基板（１７）、調整カム（１９）により基板（１７）に摺動可能に取り付けられて移動可能な中間板（１８）、及び調整ねじ（２１）を用いて横断軸線に対応して揺動可能に中間板（１８）に連結されて可動性を有するヒンジアーム（２０）を備える。中間板（１８）における後方端部は、ヒンジアーム（２０）の後方側部の孔（２４）に回転可能に係合するために、横断軸線に対応して両側方に突出する蝶着突起（２３）を有する側方翼部（２２）を示す。基板（１７）は、基板（１７）の長手方向延設面に垂直な方向において中間板（１８）の側端部を保持するために、整合されて配置される中間板（１８）用の側方保持部を示す。
2015521701.tif 000002
【特許請求の範囲】
【請求項１】
正面フレームを備える家具の扉取付用ヒンジ（１０）において、
前記家具の前記正面フレーム（１１）に固定可能な基板（１７）であって、長手方向面に対応して延びる前記基板と、
調整カム（１９）により前記長手方向面の長手方向に沿って前記基板（１７）に摺動可能に連結されて移動可能な中間板（１８）と、
ヒンジアーム（２０）と、
前記長手方向を横断する軸線に対応して、前記ヒンジアーム（２０）及び前記中間板（１８）の間を蝶着する手段と、
少なくとも調整ねじ（２１）を有し、前記ヒンジアーム（２０）及び前記中間板の間の角度を調整するための調整手段と、
前記家具の扉に固定可能な筺体（１３）であって、関節ピン（１６）により前記ヒンジアーム（２０）の前方端部に揺動可能に連結される前記筺体（１３）と
を備え、前記蝶着手段は、前記ヒンジアーム（２０）の後方端部の付近及び前記中間板（１８）の後方端部の側方翼部（２２）の付近に設けられて、孔（２４）及び前記孔（２４）に回転可能に係合するために前記横断軸線に対応して突出する突起（２３）を備えることを特徴とするヒンジ。
【請求項２】
前記基板（１７）は、前記中間板（１８）用の側方保持部（２５，２６）を有し、前記保持部は、前記長手方向面に対して直交する方向において前記中間板（１８）の側方縁部（３４，３５）を保持するために、整合されて配置されることを特徴とする請求項１に記載のヒンジ（１０）。
【請求項３】
前記突起（２３）は、前記ヒンジアーム（２０）に設けられる前記側部の孔（２４）に回転可能に係合するために、前記中間板（１８）の前記側方翼部（２２）に設けられ、両側部の外方に突出することを特徴とする請求項１又は請求項２に記載のヒンジ（１０）。
【請求項４】
前記突起（２３）は、前記中間板（１８）の前記側方翼部（２２）に設けられる前記側部の孔（２４）に回転可能に係合するために、前記ヒンジアーム（２０）に設けられ、両側部の内方に突出することを特徴とする請求項１又は請求項２に記載のヒンジ（１０）。
【請求項５】
前記突起（２３）は、前記ヒンジアーム（２０）又は前記中間板（１８）の前記側方翼部（２２）と一体であることを特徴とする請求項１〜請求項４のいずれか一項に記載のヒンジ（１０）。
【請求項６】
前記側方保持部は、前記長手方向面に対して実質的に平行に延びて前記基板の底壁（３８）から離間した案内面（３６，３７）と、前記中間板（１８）の前記側方縁部（３４，３５）に対してそれぞれ受座及び滑り座である二つの側部を画定する前記案内面及び前記底壁（３８）とを有することを特徴とする請求項１〜請求項５のいずれか一項に記載のヒンジ（１０）。
【請求項７】
前記基板（１７）の前記側方保持部は、内方に屈曲する前方翼部（２５）及び長手方向に延びる後方翼部（２６）であって、前記中間板（１８）の前記側方縁部（３４，３５）に対して前記案内面（３６，３７）を画定する前記前方翼部及び前記後方翼部を備えることを特徴とする請求項６に記載のヒンジ（１０）。
【請求項８】
前記中間板（１８）の前記側方縁部（３５）は、前記基板（１７）の前記後方翼部（２６）と係合可能な側方後方延出部（３４）を備えることを特徴とする請求項７に記載のヒンジ（１０）。
【請求項９】
前記中間板（１８）は、前記基板（１７）の屈曲した側部に収容されることと、前記中間板（１８）の前記側方翼部（２２）は、前記基板（１７）の前記側部における外表面の幅と等しい幅の外表面を有することとを特徴とする請求項１〜請求項８のいずれか一項に記載のヒンジ（１０）。
【請求項１０】
前記ヒンジアーム（２０）の前記側部の孔（２４）は、外部に向かって後方に開口し、前記孔（２４）の後方開口端は、前記ヒンジアーム（２０）の前記側部において外方に突出するブリッジ（５３）により互いに連結されることを特徴とする請求項１〜請求項９のいずれか一項に記載のヒンジ（１０）。
【請求項１１】
前記ヒンジアーム（２０）は、前記調整ねじ（２１）を係合するためのねじ穴（４６）を有することと、前記中間板（１８）は、同ねじの留め軸部用の孔（４４）を有することとを特徴とする請求項１〜請求項１０のいずれか一項に記載のヒンジ（１０）。
【請求項１２】
前記中間板（１８）は、前記調整カム（１９）の係合用の拡張後方中空部（４２）を有することと、前記基板（１７）は、同カムの回転軸部用の円孔（４０）を有することとを特徴とする請求項１〜請求項１１のいずれか一項に記載のヒンジ（１０）。
【請求項１３】
前記ヒンジアーム（２０）及び前記中間板（１８）の間を蝶着する前記突起（２３）は、前記基板（１７）及び前記中間板（１８）の間を調整する前記カム（１９）の軸線に対して後方に延びることを特徴とする請求項１〜請求項１２のいずれか一項に記載のヒンジ（１０）。
【請求項１４】
前記基板（１７）は、当該ヒンジを前記家具の前記正面フレーム（１１）に取り付けるための取付用ねじを挿入するために、少なくとも一つの拡張貫通孔（３１）を有することを特徴とする請求項１〜請求項１３のいずれか一項に記載のヒンジ（１０）。
【発明の詳細な説明】
【技術分野】
【０００１】
本発明は、ヒンジが取り付けられる正面フレームを備える家具の扉用ヒンジに関する。
【背景技術】
【０００２】
家具の分野では、家具の扉を揺動可能に支持する目的でヒンジが使用され、そのヒンジは、家具の本体に連結可能な固定部と、扉に連結可能であって、筺体により構成される可動部とを備えている。
【０００３】
一般に米国の市場において利用されるヒンジを取り付けるための正面フレーム付家具の場合、こうしたヒンジは、特に小型な形状を有していなければならず、単一の関節ピンによって固定部に連結される筺体を備えることが望ましい。
【先行技術文献】
【特許文献】
【０００４】
【特許文献１】米国特許第６，６４７，５９１号
【特許文献２】米国特許第６，８４５，５４４号
【発明の概要】
【発明が解決しようとする課題】
【０００５】
公知の構造における実施形態では、固定部は、家具に対して扉を調整することを可能にするように、家具の正面フレームに固定可能な基板、中間板、並びに、カム及び調整ねじの少なくとも一方を介して互いに摺動及び揺動の少なくとも一方が可能なように連結されるヒンジアームを備えている。たとえば特許文献１及び特許文献２における公知のヒンジにおいても、基板、中間板、及びヒンジアームが横断ピンによって互いに連結されるために、部品間における種々の連結手段及び調整手段の配置によって、より小型なヒンジにするに当たって支障をきたす上、種々の部品の組立作業において複雑さの度合いも増加する。
【０００６】
さらに、これらの公知の構造における実施形態では、調整ねじがヒンジアームの開口部における縁部又は翼部におけるねじ山と係合する点が解決手段であり、こうした点が部品間における調整の不正確さ及び部品間における継手の抵抗の問題に繋がり得る。
【課題を解決するための手段】
【０００７】
そのため、本発明の主要な目的は、本方法により総合的な費用の削減が可能であり、構造的に簡素で容易に組立可能な正面取付のフレームを備える家具の扉用ヒンジを提供することにある。本発明のさらなる目的は、高度の構造耐力を示す点及び構成される部品間における相当の調整精度を可能にする点を考慮した形式のヒンジを提供することにある。本発明のさらなる目的は、上述した特徴を有して非常に小型な寸法及び形状を示すヒンジを提供することにある。上述の点は、正面フレームを備える家具の扉取付用ヒンジにおいて、前記家具の前記正面フレームに固定可能な基板であって、長手方向面に対応して延びる前記基板と、調整カムにより前記長手方向面の長手方向に沿って前記基板に摺動可能に連結されて移動可能な中間板と、ヒンジアームと、前記長手方向を横断する軸線に対応して、前記ヒンジアーム及び前記中間板の間を蝶着する手段と、少なくとも調整ねじを有し、前記ヒンジアーム及び前記中間板の間の角度を調整するための調整手段と、前記家具の扉に固定可能な筺体であって、関節ピンにより前記ヒンジアームの前方端部に揺動可能に連結される前記筺体とを備え、前記蝶着手段は、前記ヒンジアームの後方端部の付近及び前記中間板の後方端部の側方翼部付近に設けられて、孔及び前記孔に回転可能に係合するために前記横断軸線に対応して突出する突起を備えることを特徴とするヒンジにより達成され得る。
【０００８】
本発明によれば、中間板の側方翼部は、二つの部品を互いに連結して揺動するための横断ピンの必要がないように、ヒンジアームの側部に設けられる後方側部の孔に対応して回転可能に係合するために、横断軸線に対応する両側部の外方に延びる翼部と一体に形成される蝶着突起を示す。
【０００９】
望ましい実施形態では、ヒンジアームの側部の孔は、中間板に形成されるヒンジ突起の容易な挿入を可能にするために、外部に向かって後方に開口する。ただし、中間板に後方貫通孔を配置し、ヒンジアームの側部の内側に面する突起を配置することが可能である。この実施形態では、ヒンジの内側を妨げない揺動軸線の取得を可能にし、側部調整ねじから適切に離間して、この揺動軸線を中間板及び基板の間の調整カムに、この調整カムを妨げることなく配置することができる。この方法では、ヒンジは、機能性を有するとともに、非常に小型である。
【００１０】
さらに、基板は、中間板の側方縁部において垂直な方向に保持するように整合されて、基板の長手方向において同時に移動することを可能にし、がたつくことなく正確な案内をこの方法により実現する側方保持部を示す。
【００１１】
さらなる実施形態では、基板の長手方向設置面に垂直な方向における調整用の調整ねじをヒンジアームのねじ穴に螺合し、この調整ねじの下側軸部をこのねじ穴に回転可能に保持する。しかし、この調整ねじは、基板の円孔内を軸方向に移動不能であり、その部分より下方のねじの軸部がかしめられる。こうした解決手段は、部品間の連結における高耐力とともにヒンジアームの信頼性のある正確な調整を保証する。
【００１２】
本発明における特徴及び利点は、添付図面を参照しつつ、家具用のヒンジにおける望ましい実施形態であるものの、これに限定されない実施形態における以下の説明からより詳細に明らかになる。
【図面の簡単な説明】
【００１３】
【図１】本発明における実施形態に従うヒンジにおける斜視図である。
【図２】図１のヒンジにおける中央縦断面図である。
【図３】図１のヒンジにおける分解組立図である。
【発明を実施するための形態】
【００１４】
参照番号１０として添付図面の全体に示す本発明におけるヒンジは、その上にヒンジが取り付けられる正面フレーム１１を備える米国型の家具に適用可能である。
一般に、この形式のヒンジ１０は、家具の正面フレーム１１にヒンジ自体を取り付けるための固定部１２及び家具の扉１４に取り付けるための筺体１３を備える。
【００１５】
図２においてより詳細に示すように、筺体１３は、筺体１３内に収容される板ばね型の閉じばね１５の作用により、扉の開位置及び扉の閉位置の間を回転することができるように、横方向に延びる揺動ピン１６で固定部１２に揺動可能に連結されている。
【００１６】
閉じばね１５は、図２においてより明りょうに視認することができるように、筺体１３の底部を切り取ることにより形成されるブリッジ２７の下方への挿入を目的として、筺体１３の底部に一端を収容される重ねられた二つの同一の板ばねで形成されることが望ましい。
【００１７】
ばね１５の他端は、揺動ピン１６に向かって湾曲し、ヒンジアーム２０の前方部３０に設けられる開口部２９の下方の縁部に挿入されるカム２８の上に設置される。この種の閉じばねの機能は、公知であるため、これ以上は詳細に説明しない。
【００１８】
ヒンジの固定部１２は、基板１７の中央領域の近傍に配置される拡張横方向中空部３１を少なくとも横切る図示しないねじを少なくとも用いて、家具の正面フレーム１１に固定可能な基板１７を備える。基板１７は、基本的に長手方向設置面に沿って延び、家具の正面フレームを包囲する前方屈曲翼部３２及び後方屈曲翼部３３を示す。基板１７は、中間板１８の側方縁部３４、３５を保持するように形成される側方保持部を示す。側方端部は、長手方向設置面に対して実質的に平行に延びて、中間板１８の側方縁部３４、３５に対してこれらを収容する台座である二つの側部を画定するようにして、基板１７の側壁３８から離間する案内面３６、３７を示す。
【００１９】
本発明における望ましい実施形態では、基板１７の側部は、内方に屈曲する前方翼部２５及び長手方向において後方に延びる後方翼部２６であって、中間板１８の側方縁部３４、３５に対して案内面３６，３７の下部を画定する前方翼部２５及び後方翼部２６を示す。
【００２０】
中間板１８の側方縁部３５は、後方位置において、基板１７の後方翼部２６と係合可能な側方延出部３４を備える。基板１７は、その後方領域において、中間板１８の側方延出部３４を組立位置にて締めつけるように、後方翼部２６の下側面３７より下方に離間して延びる側方延出部３９をさらに示す。
【００２１】
組立を目的として、中間板１８は、その縁部３５及び側方延出部３４が底壁３８及び基板１７の翼部２５、２６における下側面３６、３７の間に挿入されるように、中間板１８が後方から摺動することにより、基板１７の屈曲した両側部に収容される。基板１７の後方領域において、孔４０は、カム１９の軸部４１の挿入用に設けられ、孔４０より下方に突出するカム１９の端部は、カムを基板１７に回転可能であるが軸方向に移動不能に取り付けるために、かしめられる。カム１９は、中間板１８の横方向に拡張された後方中空部４２から、上方に拡大されたヘッド４３が突出するように、この後方中空部４２を横切る。このようにして、中間板１８は、基板１７に密接に保持されるものの、カム１９の回転によって基板１７の長手方向面における長手方向に沿って移動可能である。
【００２２】
ヒンジは、ヒンジアーム２０及び中間板１８の間を基板１７の長手方向面における長手方向に対する横断軸線に沿って蝶着する手段を備える。蝶着手段は、特にヒンジアーム２０の後方端部の付近及び中間板１８の後方端部の側方翼部２２の付近に設けられて、孔２４及び孔２４に回転可能に係合するように横断軸線に沿って突出する突起２３を備える。
【００２３】
図示の実施形態において、蝶着突起２３は、翼部２２に設けられ、図３から明らかなように、図示の実施形態において、側方翼部２２と一体に形成されることが望ましい。また、蝶着突起２３は、中間板の裏面から突出するシートメタルの部品で構成されて、下方向にＵ字状に屈曲する。
【００２４】
ヒンジは、少なくとも調整ねじ２１を備え、ヒンジアーム２０及び中間板１８の間の角度を調整する手段をさらに備える。特に、孔４４は、中間板１８の前方部に位置し、調整ねじ２１の軸部４５が孔４４内に挿入され、孔４４より下方に突出する調整ねじ２１の端部は、中間板１８に対して回転可能であるが軸方向に移動不能に取り付けるために、かしめられる。調整ねじ２１のヘッドより下方のねじ部は、ヒンジアーム２０の裏面に存在するねじ穴４６に係合する。
【００２５】
調整ねじ２１を回転することによって、ヒンジアーム２０を、安全かつ正確に中間板１８に対して揺動自在に離間又は接近させることができる。
蝶着突起２３は、ヒンジの側部を調整中に必要以上の応力及び所望していない部品の変形を抑制するように、調整ねじ２１の軸線から適切な間隔を示すように中間板１８の横方向中空部４２の近傍に延びて、調整カム１９の軸線に沿って後方に延びることが望ましい。
【００２６】
中間板１８の側方翼部２２は、有利には基板１７の側部における外表面の幅と等しい幅を有する外表面を示す。
ヒンジアーム２０は、後方において、裏面にカム１９及び家具の正面フレーム１１への基板１７の取付用ねじを通すためのねじ穴４６及び開口部５０、５１のあるＵ字状の横方向断面を示す。ヒンジアーム２０の裏面における前方部３０は、公知の方法で屈曲され、カム２８用の開口部２９及び関節ピン１６を収容するためのカール部５２を示す。
【００２７】
Ｕ字状の後方領域において、ヒンジアーム２０は、中間板１８の両側部に存在する蝶着突起２３を収容するために外部に向かって後方に開口する側部の孔２４を示し、扉１４の側部調整用の調整ねじ２１によって揺動させるように形成され得るヒンジアーム２０の近傍に横断軸線を形成する。
【００２８】
孔２４の開口後方端は、調整ねじ２１の軸部４５がかしめられることにより中間板１８にヒンジアーム２０が取り付けられる前に、孔２４より下方に蝶着突起２３を通すことができ、ヒンジアーム２０の側部において外方に突出する形状のブリッジ５３により、それら開口端を強固にするように、互いに連結される。
【００２９】
本発明におけるヒンジは、本発明の思想における権利範囲を逸脱しない限り、変更及び変化を許容することができ、さらに、構造上の細部は、技術的に同等な構成要素により置換可能である。
【図１】
2015521701.tif 000003
【図２】
2015521701.tif 000004
【図３】
2015521701.tif 000005
【国際調査報告】
2015521701.tif 000006
2015521701.tif 000007
2015521701.tif 000008